(57)【要約】引き出し可能なけん引ハンドルが組み込まれてなる車輪付きの業務用バッグ又は旅行用スーツケース（１１）であって、実質的に平行六面体の形状であって外側カバー（１５）を有する骨組み（１４）を備え、前記骨組みの下部において、けん引ハンドル（１２）のための支持／格納部材（１３）が、大きい方の長さ及び小さい方の幅を有する１つの面（２０）に取り付けられており、前記けん引ハンドル（１２）は、前記支持／格納部材（１３）から引き出すことができる棒状部材（２４）の端部に位置しており、一対の車輪（２８、１２８）が、前記けん引ハンドル（１２）に対する反対位置に配置されており、前記支持／格納部材（１３）及び引き出し可能な棒状部材（２４）の両者が、平坦な入れ子の形態を有し、軽量かつせん断及び曲げ応力に対しても大いに耐える材料で作られている業務用バッグ又は旅行用スーツケース。業務用バッグ又は旅行用スーツケースへと適用できる特定のけん引装置も想定される。
2008539927.tif 000002
【特許請求の範囲】
【請求項１】
引き出し可能なけん引ハンドルが組み込まれてなる車輪付きの業務用バッグ又は旅行用スーツケース（１１）であって、
実質的に平行六面体の形状であって外側カバー（１５）を有する骨組み（１４）を備え、
前記骨組みの下部において、けん引ハンドル（１２）のための支持／格納部材（１３）が、大きい方の長さ及び小さい方の幅を有する１つの面（２０）に取り付けられており、
前記けん引ハンドルは（１２）は、前記支持／格納部材（１３）から引き出すことができる棒状部材（２４）の端部に位置しており、
一対の車輪（２８、１２８）が、前記けん引ハンドル（１２）に対する反対位置に配置されており、
前記支持／格納部材（１３）及び引き出し可能な棒状部材（２４）の両者が、平坦な入れ子の形態を有し、軽量かつせん断及び曲げ応力に対しても大いに耐える材料で作られている、
業務用バッグ又は旅行用スーツケース。
【請求項２】
前記支持／格納部材（１３）が、互いの内側に挿入されて動くことができる２組の平坦な筒状部材（２５ａ、２５ｂ）を備え、前記２組の平坦な筒状部材（２５ａ、２５ｂ）に、前記自由に動かして引き出すことができる部材（２４）が挿入されていることを特徴とする、請求項１に記載の業務用バッグ又は旅行用スーツケース。
【請求項３】
前記２組の平坦な筒状部材（２５ａ、２５ｂ）及び前記棒状部材（２４）の両者が、矩形の断面を有することを特徴とする、請求項２に記載の業務用バッグ又は旅行用スーツケース。
【請求項４】
いずれも引き出すことが可能である一対の平坦な筒状部材（２５ｂ）及び棒状部材（２４）の両者が、それぞれ対向する前記一対の固定の筒状部材（２５ａ）及び一対の引き出し可能な筒状部材（２５ｂ）の端部に係合するための円錐形又はくさび形の後端（４０、４１）を有することを特徴とする、請求項２に記載の業務用バッグ又は旅行用スーツケース。
【請求項５】
いずれも引き出すことが可能である一対の平坦な筒状部材（２５ｂ）及び棒状部材（２４）の両者が、それぞれ対向する前記一対の固定の筒状部材（２５ａ）及び一対の引き出し可能な筒状部材（２５ｂ）の金属部（４３）が備えられた端部に係合するための磁気部材（４２）を備えた後端を有することを特徴とする請求項２に記載の業務用バッグ又は旅行用スーツケース。
【請求項６】
いずれも引き出すことが可能である一対の平坦な筒状部材（２５ｂ）及び棒状部材（２４）の両者が、対面する端部に係合部材を有し、展張位置において前記係合部材を所望により互いに対して解放できることを特徴とする請求項２に記載の業務用バッグ又は旅行用スーツケース。
【請求項７】
前記棒状部材（２４）の前記解放可能な係合部材が、貫通溝付きの座（４５）で構成されており、前記貫通溝付きの座（４５）が、それぞれの溝付き座（４５）の外側の相対する方向に互いに反発する極性で配置された一対の磁気部材（４２）を受けることを特徴とする、請求項６に記載の業務用バッグ又は旅行用スーツケース。
【請求項８】
前記筒状部材（２５ｂ）の前記解放可能な係合部材が、一対の貫通溝付きの座（４６、１４６）で構成されており、前記座（４６、１４６）のそれぞれに、座（４６、１４６）の厚さの一部分のみを占有する磁性材料製のそれぞれの成形プレート（４７、１４７）が存在していることを特徴とする、請求項６に記載の業務用バッグ又は旅行用スーツケース。
【請求項９】
前記プレート（４７）をそれぞれの溝付き座（４６）内の位置に保持するため、第２の筒状部材（２５ｂ）の端部に位置する内部が中空であるカバー部材（４８）が想定されていることを特徴とする、請求項８に記載の業務用バッグ又は旅行用スーツケース。
【請求項１０】
前記支持／格納部材（１３）が、前記骨組み（１４）の外側に位置していることを特徴とする、請求項１に記載の業務用バッグ又は旅行用スーツケース。
【請求項１１】
前記支持／格納部材（１３）が、前記骨組み（１４）の外側かつ前記外側カバー（１５）の内側に位置していることを特徴とする、請求項１に記載の業務用バッグ又は旅行用スーツケース。
【請求項１２】
前記支持部材（１３）及び前記けん引ハンドル（１２）の前記材料が、炭素繊維、ガラス又はアラミド繊維、スペクトラ、などの積層などの複合材料で作られていることを特徴とする、請求項１に記載の業務用バッグ又は旅行用スーツケース。
【請求項１３】
少なくとも１つの上部壁（２１）に、開口を定めるために適した１つ以上のジッパー又は同様の装置（３２）が備えられていることを特徴とする請求項１に記載の業務用バッグ又は旅行用スーツケース。
【請求項１４】
上部壁（２１）に、手による持ち運びのための把持用ハンドル（２２）が存在していることを特徴とする、請求項１に記載の業務用バッグ又は旅行用スーツケース。
【請求項１５】
前記車輪（２８）のそれぞれが、チタニウム製の一対のディスク（３５）を中央のコア（３６）の対向する部分の面へと備え、タイヤを形成するＯリング（３７）が、チタニウム製のディスクとテフロン（登録商標）製のコアとの間に収容されていることを特徴とする請求項１に記載の業務用バッグ又は旅行用スーツケース。
【請求項１６】
前記中央のコア（３６）が、テフロン（登録商標）で作られていることを特徴とする請求項１に記載の業務用バッグ又は旅行用スーツケース。
【請求項１７】
前記車輪（１２８）のそれぞれが、支持ピン（５３）のための転がり／摺動部材（５５）が備えられた中央に穴のある円形部材（１３５）を備え、前記円形部材（１３５）に、環状の接地面部材（１３７）が配置されていることを特徴とする、請求項１に記載の業務用バッグ又は旅行用スーツケース。
【請求項１８】
前記車輪が、炭素／アルミニウム鉄合金又は同様の製品で作られており、前記環状の部材（１３７）が、熱可塑性エラストマー材料、又はゴム、又は熱可塑性ポリマーで作られていることを特徴とする、請求項１７に記載の業務用バッグ又は旅行用スーツケース。
【請求項１９】
前記車輪（２８）が、骨組み（１４）へと取り付けられた特定の支持部（２９）に配置されていることを特徴とする、請求項１に記載の業務用バッグ又は旅行用スーツケース。
【請求項２０】
前記車輪（２８）が、バッグ（１１）の下部壁（２０）の外側カバー（１５）に位置する開口（３０）からわずかに突き出していることを特徴とする、請求項１に記載の業務用バッグ又は旅行用スーツケース。
【請求項２１】
業務用バッグ又は旅行用スーツケースへと適用できるけん引装置であって、
けん引ハンドル（１２）のための支持／格納部材（１３）を備え、
けん引ハンドル（１２）は、前記支持／格納部材（１３）から引き出すことができる棒状部材（２４）の端部に位置しており、
前記支持／格納部材（１３）は、互いの内側に挿入されて動くことができる２組の平坦な筒状部材（２５ａ、２５ｂ）を備え、前記２組の平坦な筒状部材（２５ａ、２５ｂ）に、前記自由に動かして引き出すことができる棒状部材（２４）が挿入され、
展張位置において所望により互いに対して解放できる係合部材が想定されている、けん引装置。
【請求項２２】
前記棒状部材（２４）の前記解放可能な係合部材が、貫通溝付きの座（４５）で構成されており、前記貫通溝付きの座（４５）が、それぞれの前記溝付き座（４５）の外側の相対する方向に互いに反発する極性で配置された一対の磁気部材（４２）を受けることを特徴とする、請求項２１に記載のけん引装置。
【請求項２３】
前記筒状部材（２５ｂ）の前記解放可能な係合部材が、一対の貫通溝付きの座（１４６）で構成されており、前記座（１４６）のそれぞれに、座（１４６）の厚さの一部分のみを占有する磁性材料（１４７）製のそれぞれの成形プレートが存在していることを特徴とする、請求項２１に記載のけん引装置。
【発明の詳細な説明】
【技術分野】
【０００１】
本発明は、引き出し可能なけん引ハンドルが組み込まれてなる車輪付きの業務用バッグ又は旅行用スーツケースに関する。
【背景技術】
【０００２】
業務用バッグ及び／又は旅行用スーツケースの分野において、品物及び書類を容易かつ快適に運ぶために、この上もなく多様な解決策がこれまでに検討されてきている。それらは、通常は、車輪と多少なりとも引き出しが可能なけん引装置とが備えられた一般的かつ標準的な構造に関連している。
【０００３】
公知の解決策のいくつかは、バッグ又はスーツケースの短辺にＵ字形のハンドルを想定しており、非使用位置においては、Ｕ字形のハンドルの端部がバッグ又はスーツケースの内部に挿入されている。使用のため、一対の引き込み式の車輪を有効にする装置との協働において、前記ハンドルも解放して、展張位置へと引き出すことが可能である。この種の解決策の例が、特許文献１に開示されている。しかしながら、この解決策は、スーツケース又はバッグについて傾けられた位置でのけん引を可能にするにとどまり、それぞれの座にある車輪及びハンドルの引き出し、及び非使用位置への復帰のために、複雑な機構を必要としている。
【０００４】
例えば、特許文献２及び３に示されているような他の解決策は、バッグ又はスーツケースの端面にヒンジで取り付けられる把持部材であって、前記面に平行な非使用位置からバッグ又はスーツケースのけん引位置へと回転及び引き出しによって動かすことができる把持部材を想定している。この解決策は、製造の困難さに加え、かなりの付加物（ｅｎｃｕｍｂｒａｎｃｅ）を有し、使用が困難でもある。
【０００５】
主としてスーツケースの分野において、けん引機構の大部分がスーツケース内に収容されており、大量の空間を占有するさらに他の解決策も存在している。結果的に、これらの解決策は、まさに容器の性質ゆえにきわめて限られた収容空間しかもたらされないため、バッグなどに使用するためには適していない。
【０００６】
さらに、これまでに採用されている解決策においては、スーツケース又はバッグに把持部材及び車輪を適用することによって、それらの輪郭の全体設計がゆがめられ、結果的に、全体設計がこれらの補助部材の存在に合わせて構成される。
【特許文献１】米国特許第３，９１７，０３８号明細書
【特許文献２】米国特許第３，９４８，３６５号明細書
【特許文献３】米国特許第３，８０５，５２９号明細書
【発明の開示】
【発明が解決しようとする課題】
【０００７】
本発明の目的は、けん引段階においてけん引ハンドル及び車輪が備えられ、前記補助手段の極端な付加物を有するにもかかわらず、快適に使用することができる業務用バッグ又は旅行用スーツケースを提供することにある。
【０００８】
本発明の他の主たる目的は、けん引ハンドル及び車輪が備えられているにもかかわらず、追加の補助部材を有さないバッグ又はスーツケースの当初の輪郭が維持される業務用バッグ又は旅行用スーツケースを提供することにある。
【０００９】
本発明のさらなる目的は、とりわけ、構造的にきわめて簡潔であり、その構造の骨組み又はけん引ハンドルによって占められるケースの部品に特別の手段を必要とせず、容易に使用することができる業務用バッグ又は旅行用スーツケースを提供することにある。
【００１０】
本発明のさらなる目的は、単純かつ頑丈なけん引ハンドルを生み出すために適した共通の所定の構造を採用できる業務用バッグ又は旅行用スーツケースを提供することにある。
【００１１】
本発明のまた別の目的は、けん引ハンドルのための支持／格納部材、すなわち業務用バッグ又は旅行用スーツケースへと適用できるけん引装置を提供することにある。
【課題を解決するための手段】
【００１２】
これらの目的は、本発明によれば、請求項１に記載の業務用バッグ又は旅行用スーツケースを提供することによって達成される。
【００１３】
さらなる構成上の特徴が、添付の従属請求項に開示されている。
【００１４】
本発明による業務用バッグ又は旅行用スーツケースの特徴及び利点は、添付の概略図を参照し、例示であって本発明を限定するものではない以下の説明から、より明らかになる。
【発明を実施するための最良の形態】
【００１５】
図１及び２は、引き出し可能なけん引ハンドル１２を備える旅行バッグ１１の実施形態を示しており、引き出し可能なけん引ハンドル１２が、バッグ１１の骨組み１４へと取り付けられた支持／格納部材１３の内側に位置している。
【００１６】
一般に、バッグ又はスーツケースは、図の非限定的な実施例のように、内部の骨組みに外側カバー１５を備えて定められる平行六面体の形状を有し、外側カバー１５は、皮革又は他の高品質の材料あるいは同等の材料で作られている。
【００１７】
したがって、旅行バッグ１１は、大きな幅を有する一対の側壁又は面１６、１７と、限られた寸法の一対の側壁又はヘッド１８、１９とを有する。これらの側壁又は面１６〜１９に加えて、バッグ１１は、下部壁２０及び上部壁２１によって完結しており、上部壁２１に、手による持ち運びのための通常の把持用ハンドル２２が備えられている。
【００１８】
横ヘッド１８及び１９の両者、ならびに上部壁２１には、通常は、品物をバッグへと導入するための開口を定めるために適した１つ以上のジッパー又は同様の装置３２が備えられている。
【００１９】
さらに、本発明によれば、けん引ハンドル１２のための支持／格納部材１３が設けられている。
【００２０】
詳しくは、前記支持／格納部材１３は、大きい方の長さ及び小さい方の幅を有する面において、下部壁２０に取り付けられている。詳しくは、けん引ハンドル１２が、この実施例では矩形の断面を有する２つの平棒部材２４の端部２３に取り付けられており、平棒部材２４を支持／格納部材１３から引き出すことができる。図示の実施例では、支持／格納部材１３は、互いの内側に挿入されて移動する矩形断面の２組の平坦な筒状部材２５ａ及び２５ｂを備え、これらの筒状部材２５ａ及び２５ｂに、自由に動かして引き出すことができる棒状部材２４が挿入される。第１の２つの筒状部材２５ａが、横棒２６によって接続されており、横棒２６が、バッグ１１の骨組み１４へのためのねじ（図示されていない）などの拘束部材のための穴２７を有する。次いで、第２の２つの筒状部材２５ｂが、第１の２つの筒状部材２５ａに挿入されて動く。
【００２１】
第２の筒状部材２５ｂ及び棒状部材２４の両者について、円錐形又はくさび形の後端４０及び４１が想定される。それらの円錐形の構成のおかげで、前記円錐端４０及び４１は、引き出された位置においてそれらの間の部品を固定する。前記円錐の形成は、例えば壁の一部分の厚さを変化させることによって生み出すことができる。次いで、この部品の間の相互のくさびを、けん引ハンドル１２に軽い押しを作用させることによって切り離すことができ、互いの内側への部材の入れ子状の挿入が生じる。
【００２２】
特定のさらなる実施形態においては、このくさび形の端部に加え、あるいはこのくさび形の端部に代えて、図５及び７に点鎖線で示した磁気部材４２を想定することができ、これらの磁気部材４２が、前記筒状部材２５ａ及び２５ｂの組の外向きの端部に配置されている金属製の端部（参照番号４３で示されている）と相互作用する。
【００２３】
このように、引き出された位置（図５及び６）に部材の固定位置が確立される一方で、種々の部品を閉鎖位置へと戻すために、押しの作用によって容易に解放することが可能である。
【００２４】
この構成は、該部材の精密な加工の結果として得られ、例えばきわめて強制された公差の成型によって得られる。精密な加工は、ハンドルへのわずかな押しで容易に解放できる固定をも生み出す。
【００２５】
また、入れ子式の構成の種々の部材が、一方向にのみ互いへと挿入可能であり、反対方向に引き出すこと、すなわちハンドルを引っ張ることによって引き出すことが、そのような展張を常に阻止する切り下げ４４の存在によっても不可能にされていることに、注意すべきである。
【００２６】
図１０、１１、及び１２は、第１及び第２の筒状部材２５ａ、２５ｂならびに棒状部材２４について、とくに好都合なさらなる構成の実施形態を示している。この代替の配置においては、どちらも第１の筒状部材２５ａに対して引き出し可能である第２の筒状部材２５ｂ及び棒状部材２４が、完全に引き出された位置及び途中まで引き出された位置の両者における安定な相互の位置決め部材を有する。
【００２７】
実際、最後の棒状部材２４はそれぞれ、第２の中間の筒状部材２５ｂに面する端部の付近に、貫通溝４５を備える座を有する。それぞれの溝付き座４５が、一対の磁気部材４２を収容するために適しており、一対の磁気部材４２の極性は、該溝付き座４５の外側の相対する方向に互いに反発である。
【００２８】
棒状部材２４に面する第２の筒状部材２５ｂの端部はそれぞれ、外側向きの壁に位置する貫通溝付きの一対の座４６を有する。これらの座４６のそれぞれに、例えば鉄などの磁性材料からなり、片面にフックの形状及び輪郭を有し、座４６の厚さの一部のみを占有するそれぞれのプレート４７が存在している。内側が中空であるカバー部材４８が、第２の筒状部材２５ｂのこれらの端部に位置し、プレートをそれぞれの溝付き座４６内の位置に保っている。
【００２９】
図１１が、棒状部材２４が第２の筒状部材２５ｂから途中まで引き出された位置について、貫通座４５に配置された磁気部材４２の作用を示している。実際、この位置において、互いに反発する磁気部材４２が、第２の筒状部材２５ｂの内表面に当接している。部材を、たとえそれらが垂直位置に配置されていても、押しの作用が加えられるまでは引き出された位置に固定されたままに保つような摩擦が生み出されている。
【００３０】
一方、図１２は、棒状部材２４を第２の筒状部材２５ｂから完全に引き出した位置について、種々の部品がどのように配置されているのかを示している。実際、この位置においては、互いに反発する磁気部材４２が、それらの座４５から少なくとも部分的に突き出し、鉄のプレート４７が位置している座４６へと少なくとも部分的に挿入されている。
【００３１】
この挿入によって、部品の間に堅い固定が生じ、したがって棒状部材２４が、第２の筒状部材２５ｂの外へと最大限に、安定に引き延ばされる。最小限の労苦で、棒状部材２４、すなわちハンドル１２へと押しを作用させ、プレート４７、磁気部材４２、及びそれぞれの座４６を切り離して、棒状部材２４を第２の筒状部材２５ｂの内側の位置へと戻すことができる。
【００３２】
図１３、１４、及び１５は、業務用バッグ又は旅行用スーツケースのためのけん引装置として適用される第１及び第２の筒状部材２５ａ及び２５ｂならびに棒状部材２４の構成配置について、他の実施形態を示しており、先の実施例と同様、完全に引き出された位置及び途中まで引き出された位置の両者における安定な相互の位置決めの部材を有する。先の場合と同様、溝付きの座４５及び磁気部材４２が存在している。
【００３３】
第２の筒状部材２５ｂに関しては、それぞれが貫通溝付きの一対の座１４６を有する。これらの座４６のそれぞれに、座１４６の厚さの一部分のみを占有する鉄製プレート１４７が、例えば接着されて一体化されている。
【００３４】
図１４及び１５は、座４５に配置された磁気部材４２の作用が、どのように上述と同様に加えられて摩擦が生み出されるのかを示している。
【００３５】
とくに、図１５が、棒状部材２４が第２の筒状部材２５ｂから完全に引き出された位置について、種々の部品がどのように配置されているかを示している。互いに反発している磁気部材４２が、それらの座４５から少なくとも部分的に突き出しており、鉄製プレート１４７が配置されている座１４６に少なくとも部分的に挿入され、部品間の固定を生じさせている。部品間の係合及び解放は、上述したとおりに行われる。
【００３６】
この配置は、構造及び機能の観点から、きわめて安全、好都合、かつ簡潔である。
【００３７】
さらに、本発明によれば、後方かつ下方の縁に関して、骨組み１４が、骨組み１４へと取り付けられた特定の支持部２９の内側に位置する一対の車輪２８を有する。車輪２８は、テフロン（登録商標）又は同様の材料で作られた中央コア３６の側方に位置するチタニウム製の一対のディスク３５で構成されている。Ｏリング３７が、チタニウム製ディスク及びテフロン（登録商標）製コアの間に収容されて前記車輪のタイヤを形成している。このように、薄くて、静かであり、衝撃に耐える車輪を得ることができる。とくに、チタニウム製のディスク３５が、段差を降りるとき、障害物に衝突するとき、あるいは縁に当たるときに傷つくことがないきわめて硬い「リム」を実際に形成する。
【００３８】
図１６及び１７は、中央に穴のある円形の部材１３５にベアリング又は同様の転がり部材５５（さらには、おそらくは摺動部材としての真ちゅう）が締まり嵌めにて配置されることによって、どのようにして車輪１２８が得られるのかを示している。ベアリング５５の側方に、車輪１２８の自由な回転を可能にするためのスペーサとして機能するとともに、さらに支持ピン５３のための座５２を有する２つの半フランジ５０及び５１が存在している。車輪は、炭素／アルミニウム鉄合金などで製作されており、滑らか、静か、かつ快適な摺動運動を促進する熱可塑性エラストマー、ゴム、又は熱硬化性熱可塑性ポリマーで製作されて接地面として機能するリング１３７を有する。
【００３９】
車輪２８又は１２８は、旅行バッグ１１において、この実施例では下部壁２０の外側カバー１５に位置する開口３０からわずかに突き出している。
【００４０】
詳しくは、本発明によれば、支持／格納部材１３及び引き出し可能な棒状部材２４の両者が、あらゆる断面において平たい形状を有するだけでなく、軽量であり、せん断及び曲げ応力にもきわめて耐える材料で作られている。この材料は、例えば、炭素繊維、ガラス又はアラミド繊維、スペクトラ（ｓｐｅｃｔｒａ）などの積層など、複合材料であってよい。
【００４１】
さらに、この実施例では、支持／格納部材１３が、好都合にも前記骨組み１４の外側かつ外側カバー１５の内側に位置している。このように、この補助部材が完全に隠され、付加物が最小限であり、したがって業務用バッグ又は旅行用スーツケースの全体としての審美的外観を妨げることがない。引き込まれた位置にあるとき、平坦な棒状部材２４が支持／格納部材１３の筒状部材２５の完全に内側にあり、けん引グループの全体が、カバーによって部分的に囲まれていることもあって目につかない。
【００４２】
結果的に、この構成は、骨組み１４によって定められる業務用バッグ又は旅行用スーツケースの内部空間を妨害又は制限することがない。
【００４３】
図２が、本発明のこの特有の特徴を明確に示している。
【００４４】
図１は、バッグが把持用ハンドル２２における手による持ち運びによってではなく、けん引によって移動されなければならない場合に、どのように機能するのかを示している。
【００４５】
けん引ハンドル１２への作用によって、けん引ハンドル１２が支持／格納部材１３から引き出される。これは、けん引ハンドル１２を引っ張ることで、平坦な棒状部材２４が、それらを前もって収容している支持／格納部材１３の筒状部材２５の内側でスライドするために生じる。
【００４６】
したがって、図１に示したようにバッグを傾けることによって、車輪２８の存在のおかげでバッグを床に沿って動かし、けん引ハンドル１２によって引っ張ることができる。棒状部材２４が、平坦であるけれども、せん断応力に対しても際立った耐性を有し、安全なけん引動作を可能にしていることは、すでに述べたとおりである。
【００４７】
この必需品がもはや必要でないときには、棒状部材２４を支持／格納部材１３の筒状部材２５へと再び挿入することで、バッグが図２に提案されている最小限の付加物の位置へと戻される。車輪の突き出しが最小限であること、及び支持／格納部材１３がバッグの下部に配置されていることから、このバッグは、把持用ハンドル２２のみで使用できる通常のバッグに似ており、完璧な審美的外観を保っている。
【００４８】
したがって、本発明によれば、バッグ及び軽量かつ機能的なけん引装置の両者に関し、公知の技術に対して求められる利点が達成されている。
【図面の簡単な説明】
【００４９】
【図１】けん引ハンドルが引き出された位置にある使用及び運搬のための第１の状態の本発明によるバッグの斜視図であり、縁が部分的に断面とされている。
【図２】図１のバッグの下方からの斜視図であり、けん引ハンドルがバッグの付加物の内側にほぼ完全に収容されている。
【図３】支持／格納部材の単独の斜視図であり、関連のけん引ハンドルが中へ挿入されている。
【図４】図３と同様の斜視図であり、ハンドルが支持／格納部材から途中まで引き出されている。
【図５】支持／格納部材の概略の平面図及び側面図であり、関連のけん引ハンドルが引き出されている。
【図６】支持／格納部材の概略の平面図及び側面図であり、関連のけん引ハンドルが引き出されている。
【図７】図３に示した支持／格納部材を形成している部品の分解図である。
【図８】本発明のバッグへの適用のための特定の支持部に配置された１つの車輪の平面図及び正面図を示す。
【図９】本発明のバッグへの適用のための特定の支持部に配置された１つの車輪の平面図及び正面図を示す。
【図１０】支持／格納部材の分解斜視図、及びさらなる実施形態の組み立て後の異なる状態の２つの部分断面図をそれぞれ示す。
【図１１】支持／格納部材の分解斜視図、及びさらなる実施形態の組み立て後の異なる状態の２つの部分断面図をそれぞれ示す。
【図１２】支持／格納部材の分解斜視図、及びさらなる実施形態の組み立て後の異なる状態の２つの部分断面図をそれぞれ示す。
【図１３】支持／格納部材の第２の実施形態の分解斜視図、及びさらなる実施形態の組み立て後の異なる状態の２つの部分断面図をそれぞれ示す。
【図１４】支持／格納部材の第２の実施形態の分解斜視図、及びさらなる実施形態の組み立て後の異なる状態の２つの部分断面図をそれぞれ示す。
【図１５】支持／格納部材の第２の実施形態の分解斜視図、及びさらなる実施形態の組み立て後の異なる状態の２つの部分断面図をそれぞれ示す。
【図１６】バッグへの適用のための特定の支持部に配置された車輪の断面図及び持ち上げられた側面図である。
【図１７】バッグへの適用のための特定の支持部に配置された車輪の断面図及び持ち上げられた側面図である。
【図１】
2008539927.tif 000003
【図２】
2008539927.tif 000004
【図３】
2008539927.tif 000005
【図４】
2008539927.tif 000006
【図５】
2008539927.tif 000007
【図６】
2008539927.tif 000008
【図７】
2008539927.tif 000009
【図８】
2008539927.tif 000010
【図９】
2008539927.tif 000011
【図１０】
2008539927.tif 000012
【図１１】
2008539927.tif 000013
【図１２】
2008539927.tif 000014
【図１３】
2008539927.tif 000015
【図１４】
2008539927.tif 000016
【図１５】
2008539927.tif 000017
【図１６】
2008539927.tif 000018
【図１７】
2008539927.tif 000019
【手続補正書】
【提出日】平成19年3月19日(2007.3.19)
【手続補正１】
【補正対象書類名】明細書
【補正対象項目名】０００４
【補正方法】変更
【補正の内容】
【０００４】
例えば、特許文献２に示されているような他の解決策は、バッグ又はスーツケースの端面にヒンジで取り付けられる把持部材であって、前記面に平行な非使用位置からバッグ又はスーツケースのけん引位置へと回転及び引き出しによって動かすことができる把持部材を想定している。この解決策は、製造の困難さに加え、かなりの付加物（ｅｎｃｕｍｂｒａｎｃｅ）を有し、使用が困難でもある。
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
引き出し可能なけん引ハンドルが組み込まれてなる車輪付きの業務用バッグ又は旅行用スーツケース（１１）であって、
実質的に平行六面体の形状であって外側カバー（１５）を有する骨組み（１４）を備え、
前記骨組みの下部において、けん引ハンドル（１２）のための支持／格納部材（１３）が、大きい方の長さ及び小さい方の幅を有する１つの面（２０）に取り付けられており、
前記けん引ハンドル（１２）は、前記支持／格納部材（１３）から引き出すことができる棒状部材（２４）の端部に位置しており、
一対の車輪（２８、１２８）が、前記けん引ハンドル（１２）に対する反対位置に配置され、バッグ（１１）の下部壁（２０）の外側カバー（１５）に位置する開口（３０）からわずかに突き出しており、
前記支持／格納部材（１３）が、前記骨組み（１４）の外側かつ前記外側カバー（１５）の内側に位置しており、
前記支持／格納部材（１３）及び引き出し可能な棒状部材（２４）の両者が、平坦な入れ子の形態を有し、軽量かつせん断及び曲げ応力に対しても大いに耐える材料で作られており、
いずれも引き出すことが可能である前記一対の平坦な筒状部材（２５ｂ）及び前記棒状部材（２４）が、それぞれ対向する前記一対の固定の筒状部材（２５ａ）及び一対の引き出し可能な筒状部材（２５ｂ）の金属部（４３）が備えられた端部に係合するための磁気部材（４２）が備えられた後端を有することを特徴とする、業務用バッグ又は旅行用スーツケース。
【請求項２】
前記支持／格納部材（１３）が、互いの内側に挿入されて動くことができる２組の平坦な筒状部材（２５ａ、２５ｂ）を備え、前記２組の平坦な筒状部材（２５ａ、２５ｂ）に、前記自由に動かして引き出すことができる部材（２４）が挿入されていることを特徴とする、請求項１に記載の業務用バッグ又は旅行用スーツケース。
【請求項３】
前記２組の平坦な筒状部材（２５ａ、２５ｂ）及び前記棒状部材（２４）の両者が、矩形の断面を有することを特徴とする、請求項２に記載の業務用バッグ又は旅行用スーツケース。
【請求項４】
いずれも引き出すことが可能である前記一対の平坦な筒状部材（２５ｂ）及び前記棒状部材（２４）が、引き出された位置にあるときに両者の間の部品を固定するようになっている円錐形又はくさび形の後端（４０、４１）を有することを特徴とする、請求項２に記載の業務用バッグ又は旅行用スーツケース。
【請求項５】
いずれも第１の筒状部材（２５ｂ）に対して延長可能である一対の平坦な筒状部材（２５ｂ）及び棒状部材（２４）の両者が、完全に引き出された位置及び途中まで引き出された位置の両者における安定な相互の位置決め部材を有することを特徴とする、請求項２に記載の業務用バッグ又は旅行用スーツケース。
【請求項６】
前記棒状部材（２４）の前記解放可能な係合部材が、貫通溝付きの座（４５）で構成されており、前記貫通溝付きの座（４５）が、それぞれの溝付き座（４５）の外側の相対する方向に互いに反発する極性で配置された一対の磁気部材（４２）を受けることを特徴とする請求項５に記載の業務用バッグ又は旅行用スーツケース。
【請求項７】
前記筒状部材（２５ｂ）の前記解放可能な係合部材が、一対の貫通溝付きの座（４６、１４６）で構成されており、前記座（４６、１４６）のそれぞれに、座（４６、１４６）の厚さの一部分のみを占有する磁性材料製のそれぞれの成形プレート（４７、１４７）が存在していることを特徴とする、請求項６に記載の業務用バッグ又は旅行用スーツケース。
【請求項８】
前記プレート（４７）をそれぞれの溝付き座（４６）内の位置に保持するため、第２の筒状部材（２５ｂ）の端部に位置する内部が中空であるカバー部材（４８）が想定されていることを特徴とする、請求項７に記載の業務用バッグ又は旅行用スーツケース。
【請求項９】
前記支持部材（１３）及び前記けん引ハンドル（１２）の前記材料が、炭素繊維、ガラス又はアラミド繊維、スペクトラ、などの積層などの複合材料で作られていることを特徴とする、請求項１に記載の業務用バッグ又は旅行用スーツケース。
【請求項１０】
少なくとも１つの上部壁（２１）に、開口を定めるために適した１つ以上のジッパー又は同様の装置（３２）が備えられていることを特徴とする、請求項１に記載の業務用バッグ又は旅行用スーツケース。
【請求項１１】
上部壁（２１）に、手による持ち運びのための把持用ハンドル（２２）が存在していることを特徴とする、請求項１に記載の業務用バッグ又は旅行用スーツケース。
【請求項１２】
前記車輪（２８）のそれぞれが、チタニウム製の一対のディスク（３５）を中央のコア（３６）の対向する部品の面へと備え、タイヤを形成するＯリング（３７）が、チタニウム製のディスクとテフロン（登録商標）製のコアとの間に収容されていることを特徴とする、請求項１に記載の業務用バッグ又は旅行用スーツケース。
【請求項１３】
前記中央のコア（３６）が、テフロン（登録商標）で作られていることを特徴とする、請求項１２に記載の業務用バッグ又は旅行用スーツケース。
【請求項１４】
前記車輪（１２８）のそれぞれが、支持ピン（５３）のための転がり／摺動部材（５５）が備えられた中央に穴のある円形部材（１３５）を有し、前記円形部材（１３５）に、環状の接地面部材（１３７）が配置されていることを特徴とする、請求項１に記載の業務用バッグ又は旅行用スーツケース。
【請求項１５】
前記車輪が、炭素／アルミニウム鉄合金又は同様の製品で作られており、前記環状の部材（１３７）が、熱可塑性エラストマー材料、又はゴム、又は熱可塑性ポリマーで作られていることを特徴とする、請求項１４に記載の業務用バッグ又は旅行用スーツケース。
【請求項１６】
前記車輪（２８）が、骨組み（１４）へと取り付けられた特定の支持部（２９）に配置されていることを特徴とする請求項１に記載の業務用バッグ又は旅行用スーツケース。
【請求項１７】
業務用バッグ又は旅行用スーツケースへと適用できるけん引装置であって、
けん引ハンドル（１２）のための支持／格納部材（１３）を備え、
けん引ハンドル（１２）は、前記支持／格納部材（１３）から引き出すことができる棒状部材（２４）の端部に位置しており、
前記支持／格納部材（１３）は、互いの内側に挿入されて動くことができる２組の平坦な筒状部材（２５ａ、２５ｂ）を備え、前記２組の平坦な筒状部材（２５ａ、２５ｂ）に、前記自由に動かして引き出すことができる棒状部材（２４）が挿入され、
展張位置において所望により互いに対して解放できる係合部材が想定されており、
前記支持／格納部材（１３）が、前記業務用バッグ又は旅行用スーツケース骨組みの外側かつ骨組みの外側カバーの内側に位置するようになっており、
いずれも引き出し可能な前記一対の平坦な筒状部材（２５ｂ）及び前記棒状部材（２４）が、それぞれ対向する前記一対の固定の筒状部材（２５ａ）及び一対の引き出し可能な筒状部材（２５ｂ）の金属部（４３）が備えられた端部に係合するための磁気部材（４２）が備えられた後端を有することを特徴とする、けん引装置。
【請求項１８】
前記棒状部材（２４）の前記解放可能な係合部材が、貫通溝付きの座（４５）で構成されており、前記貫通溝付きの座（４５）が、それぞれの前記溝付き座（４５）の外側の相対する方向に互いに反発する極性で配置された一対の磁気部材（４２）を受けることを特徴とする、請求項１７に記載のけん引装置。
【請求項１９】
前記筒状部材（２５ｂ）の前記解放可能な係合部材が、一対の貫通溝付きの座（１４６）で構成されており、前記座（１４６）のそれぞれに、座（１４６）の厚さの一部分のみを占有する磁性材料（１４７）製のそれぞれの成形プレートが存在していることを特徴とする、請求項１７に記載のけん引装置。
【国際調査報告】
2008539927.tif 000020
2008539927.tif 000021
2008539927.tif 000022